(57)【特許請求の範囲】
【請求項１】
少なくとも相対向する位置に配置した２つの側壁パネルにそれぞれ吸込口を設けた箱体と、前記箱体の内部に配置した熱交換器と、前記側壁パネルの吸込口を通じて前記箱体の内部に空気を吸い込み、前記熱交換器を通過させた後に上面側から外部に放出するように設置した送風機と、を備えて成り、連続して設置する場合には前記２つの側壁パネルが開放側で、かつ他の側壁パネルが隣接側となるように並設される空気調和機の室外ユニットにおいて、
前記熱交換器を、四角筒状に形成して前記箱体の各側壁パネルに沿うように配置し、
前記四角筒状の熱交換器の下に、前記開放側となる側壁パネルの一方に対向する部分のみを開放するように構成した下部熱交換器を設け、
さらに前記下部熱交換器の開放部分に対向する側壁パネルにメンテナンス用扉を設けたことを特徴とする空気調和機の室外ユニット。
【請求項２】
前記隣接側となる側壁パネルと当該側壁パネルに沿って配置した熱交換器との間に、前記開放側となる２つの側壁パネルの相互間距離に対して５％以上となる間隔を確保することを特徴とする請求項１に記載の空気調和機の室外ユニット。
【請求項３】
前記箱体の各側壁パネルにそれぞれ吸込口を設けるとともに、前記隣接側となる側壁パネルに沿って配置した熱交換器の相互間に、前記開放側となる２つの側壁パネルの相互間距離に対して１０％以上となる間隔を確保することを特徴とする請求項１に記載の空気調和機の室外ユニット。
【請求項４】
少なくとも相対向する位置に配置した２つの側壁パネルにそれぞれ吸込口を設けた箱体と、前記箱体の内部に配置した熱交換器と、前記側壁パネルの吸込口を通じて前記箱体の内部に空気を吸い込み、前記熱交換器を通過させた後に上面側から外部に放出するように設置した送風機と、を備えて成り、連続して設置する場合には前記２つの側壁パネルが開放側で、かつ他の側壁パネルが隣接側となるように並設される空気調和機の室外ユニットにおいて、
前記熱交換器を、２つの辺を前記開放側となる側壁パネルのそれぞれに沿って配置した六角筒状に形成したことを特徴とする空気調和機の室外ユニット。
【請求項５】
前記六角筒状の熱交換器の下に、前記開放側となる側壁パネルの一方に対向する部分のみを開放するように構成した下部熱交換器を設け、
さらに前記下部熱交換器の開放部分に対向する側壁パネルにメンテナンス用扉を設けたことを特徴とする請求項４に記載の空気調和機の室外ユニット。
【請求項６】
前記送風機を複数個設けたことを特徴とする請求項１〜５のいずれか一つに記載の空気調和機の室外ユニット。
【発明の詳細な説明】
【０００１】
【発明の属する技術分野】
この発明は、空気調和機の室外ユニットに関するものである。
【０００２】
【従来の技術】
従来例１．
ビル用室外ユニットのように設置スペースの制約を受ける室外ユニットは、ユニット同士を横方向に連続して設置するため、トップフロー方向に放出するキャビネット構成をとる。この種の従来技術としては、例えば特開昭５５−１３８６８３号公報に示されたものがある。
【０００３】
図２６は、この特開昭５５−１３８６８３号公報に示された空気調和機の室外ユニットの構造を示した分解斜視図である。図２６において、１０１は空気調和機の室外ユニットであり、機械室部分１０２、熱交換室部分１０３、ケーシング部分１０４、および天板部分１０５から成る。１０６は圧縮機、１０７はアキュムレータで、それぞれ台１０８上に固定されている。１０９は、互いに対向してＶ字状に配設され、かつ、圧縮機１０６、アキュムレータ１０７と接続されて冷凍サイクルを形成する熱交換器であり、１１０は熱交換器の前面側および背面側を閉鎖する一対の閉鎖板である。１１１はファン部およびモータ部から成る送風機であり、ファン部が上方に位置するようにモータ部が一対の支持部材で両側から維持されている。圧縮機１０６および送風機１１１を運転すると、左右の側壁パネル１１２からは空気吸込口１１２ａを通じて空気が熱交換器１０９を通過し、ここで冷媒と熱交換した後、ベルマウス１１３、ファンガード１１４、および空気吹出口１１５を経て上面側から外部へ放出される。
【０００４】
従来例２．
空気調和機のエネルギー効率を向上させるために、熱交換器の面積をできるだけ増やすことが考えられ、室外ユニットのすべての側壁パネルに熱交換器を配置した室外ユニットがある。
【０００５】
図２７は、こうした室外ユニットの従来例を示した構造図である。図２７において、１２１は空気調和機の室外ユニットで、機械室部分１２２と熱交換部分１２３とから成り、機械室部分１２２と熱交換部分１２３とは上下に分離した構造となっている。１２４は圧縮機、１２５はアキュムレータで、それぞれ台１２６上に固定されている。１２７は、側壁パネル１２８に沿って四角の筒状に配設され、かつ、圧縮機１２４、アキュムレータ１２５と接続されて冷凍サイクルを形成する熱交換器であり、１２９は送風機である。圧縮機１２４および送風機１２９を運転すると、すべての側壁パネル１２８に設けられている空気吸込口１２８ａを通じて空気１３３が熱交換器１２７を通過し、ここで冷媒と熱交換した後、ベルマウス１３０、ファンガード１３１、および空気吹出口１３２を経て上面側から外部へ放出される。
【０００６】
また図２８は、図２７に示した従来の空気調和機の室外ユニットを、熱交換器を含む水平面で切断した断面図である。ここで、熱交換器１２７は、側壁パネル１２８に対してすべて等距離に配置されており、その距離Ｌ１はごく短い。
【０００７】
図２９は従来の空気調和機の室外ユニット１２１を横方向に連続して設置したときの斜視図であり、図３０は従来の空気調和機の室外ユニットを横方向に連続して設置したときの、熱交換器を含む水平面で切断した断面平面図である。空気調和機の室外ユニット１２１を隙間無く横方向に連続して設置した場合、熱交換器１２７の、隣接する室外ユニット１２１に隣り合う側壁パネル１２８に沿って配置されている部分１２７ａと、隣接するユニット内の熱交換器１２７の、側壁パネル１２８に沿って配置されている部分１２７ｂとの間の距離Ｌａが非常に短くなる。
【０００８】
【発明が解決しようとする課題】
従来例１では、吸込口を相対向する位置の２面とし、吸込口のある側壁パネルに沿ってのみ熱交換器を配置しているため、ユニット外形寸法により熱交換器の面積に制約がある。従って、室外ユニットの体積を大きくしない限り、エネルギー効率を上げるために熱交換器の面積を増やすことができないという面で問題があった。
【０００９】
従来例２では、熱交換器を側壁パネルの４面すべてに配置し、４面すべてに吸込口を設けている。しかしながら、側壁パネルと熱交換器との距離がすべての面において等しく、また、横方向に連続して設置したときに、隣接側の熱交換器と、隣接する室外ユニット内の熱交換器との距離Ｌａは、ユニット奥行き寸法Ｌｄの１０％未満となって非常に短い。このため、室外ユニット同士を横方向に連続して設置したときに熱交換器の一部を通過するための空気の流路が十分に確保されない。この結果、この熱交換器の一部に対して空気の通過が困難となり、ユニット通過時の圧力損失が単独設置時と比較して増大し、同一風量時の騒音値も増大するという点で問題があった。また、熱交換器を通過する空気の速度分布に極端な偏りが生じることにより、横方向に連続して設置したときに、単独設置時と同じエネルギー効率を維持できないという面で問題があった。
【００１０】
この発明は、上記実情に鑑みてなされたもので、ユニット外形寸法を増大させることなく、エネルギー効率を向上させることのできる空気調和機の室外ユニットを得ることを目的とする。また、横方向に連続して設置したときであっても、単独設置時と同等のエネルギー効率を維持することのできる空気調和機の室外ユニットを得ることを目的とする。さらに、メンテナンス性の高い空気調和機の室外ユニットを得ることを目的とする。
【００１５】
【課題を解決するための手段】
この発明にかかる空気調和機の室外ユニットは、少なくとも相対向する位置に配置した２つの側壁パネルにそれぞれ吸込口を設けた箱体と、前記箱体の内部に配置した熱交換器と、前記側壁パネルの吸込口を通じて前記箱体の内部に空気を吸い込み、前記熱交換器を通過させた後に上面側から外部に放出するように設置した送風機と、を備えて成り、連続して設置する場合には前記２つの側壁パネルが開放側で、かつ他の側壁パネルが隣接側となるように並設される空気調和機の室外ユニットにおいて、前記熱交換器を、四角筒状に形成して前記箱体の各側壁パネルに沿うように配置し、前記四角筒状の熱交換器の下に、前記開放側となる側壁パネルの一方に対向する部分のみを開放するように構成した下部熱交換器を設け、さらに前記下部熱交換器の開放部分に対向する側壁パネルにメンテナンス用扉を設けたことを特徴とする。
【００１６】
この発明によれば、熱交換器を、四角筒状に形成して箱体の各側壁パネルに沿うように配置し、前記四角筒状の熱交換器の下に、開放側となる側壁パネルの一方に対向する部分のみを開放するように構成した下部熱交換器を設けているためその面積を増やし、さらにメンテナンス用扉を通じて圧縮機等のメンテナンスを行うことができる。
【００１７】
つぎの発明にかかる空気調和機の室外ユニットは、上記の発明において、隣接側となる側壁パネルと当該側壁パネルに沿って配置した熱交換器との間に、前記開放側となる２つの側壁パネルの相互間距離に対して５％以上となる間隔を確保することを特徴とする。
【００１８】
この発明によれば、隣接側となる側壁パネルと当該側壁パネルに沿って配置した熱交換器との間に、開放側となる２つの側壁パネルの相互間距離に対して５％以上となる間隔を確保することで、たとえ連続して設置した場合であってもすべての熱交換器に十分な空気を通過させることができる。
【００１９】
つぎの発明にかかる空気調和機の室外ユニットは、上記の発明において、箱体の各側壁パネルにそれぞれ吸込口を設けるとともに、隣接側となる側壁パネルに沿って配置した熱交換器の相互間に、前記開放側となる２つの側壁パネルの相互間距離に対して１０％以上となる間隔を確保することを特徴とする。
【００２０】
この発明によれば、隣接側となる側壁パネルに沿って配置した熱交換器の相互間に、開放側となる２つの側壁パネルの相互間距離に対して１０％以上となる間隔を確保することで、たとえ連続して設置した場合であってもすべての熱交換器に十分な空気を通過させることができる。
【００２１】
つぎの発明にかかる空気調和機の室外ユニットは、少なくとも相対向する位置に配置した２つの側壁パネルにそれぞれ吸込口を設けた箱体と、前記箱体の内部に配置した熱交換器と、前記側壁パネルの吸込口を通じて前記箱体の内部に空気を吸い込み、前記熱交換器を通過させた後に上面側から外部に放出するように設置した送風機と、を備えて成り、連続して設置する場合には前記２つの側壁パネルが開放側で、かつ他の側壁パネルが隣接側となるように並設される空気調和機の室外ユニットにおいて、前記熱交換器を、２つの辺を前記開放側となる側壁パネルのそれぞれに沿って配置した六角筒状に形成したことを特徴とする。
【００２２】
この発明によれば、熱交換器を六角の筒状に構成することでその面積を増やすことができるとともに、たとえ連続して設置した場合であってもすべての熱交換器に十分な空気を通過させることができる。
【００２３】
つぎの発明にかかる空気調和機の室外ユニットは、上記の発明において、六角筒状の熱交換器の下に、開放側となる側壁パネルの一方に対向する部分のみを開放するように構成した下部熱交換器を設け、さらに前記下部熱交換器の開放部分に対向する側壁パネルにメンテナンス用扉を設けたことを特徴とする。
【００２４】
この発明によれば、熱交換器を六角の筒状に構成することでその面積を増やすことができるとともに、たとえ連続して設置した場合であってもすべての熱交換器に十分な空気を通過させることができる。さらに側壁パネルにメンテナンス扉を設けているため、このメンテナンス用扉を通じて圧縮機等のメンテナンスを行うことができる。
【００３１】
つぎの発明にかかる空気調和機の室外ユニットは、上記の発明において、前記送風機を複数個設けたことを特徴とする。
【００３２】
この発明によれば、熱交換器を通過する空気を増大させることができる。
【００３３】
【発明の実施の形態】
以下に添付図面を参照して、この発明にかかる空気調和機の室外ユニットの好適な実施の形態を詳細に説明する。
【００３４】
実施の形態１．
図１および図２は、この発明の実施の形態１である空気調和機の室外ユニットを示すもので、図１は室外ユニットの構造を示す斜視一部破断図、図２は熱交換器を含む面で切断した室外ユニットの断面平面図である。
【００３５】
図１、図２において、１は空気調和機の室外ユニットで、箱体の内部に機械室部分２と熱交換部分３とを備えて構成してある。機械室部分２および熱交換部分３は、上下に分離した構造となっている。４は圧縮機、５はアキュムレータで、下方の機械室部分２においてそれぞれ台６上に固定されている。７は、上方の熱交換部分３において箱体の各側壁パネル８に沿うように四角の筒状に配置し、かつ、圧縮機４、アキュムレータ５と接続されて冷凍サイクルを形成する熱交換器である。９は箱体の上面に設置した送風機である。箱体の側壁パネル８には、相対向する位置に配置した２つにのみ空気吸込口８ａを設けてある。
【００３６】
空気吸込口８ａが設けられていない側壁パネル８とこれに沿って配置した熱交換器７との最小距離Ｌ２は、空気吸込口８ａが設けられている側壁パネル８とこれに沿って配置した熱交換器７との最小距離Ｌ１よりも長くなっている。この距離Ｌ２は、空気吸込口８ａが設けられている側壁パネル８の相互間距離Ｌｄに対して５％以上に定めている。
【００３７】
上記室外ユニット１において圧縮機４および送風機９を運転すると、相対向する位置に配置した側壁パネル８の空気吸込口８ａを通じて箱体の内部に吸い込んだ空気１５が熱交換器７を通過し、ここで冷媒と熱交換した後、ベルマウス１０、ファンガード１１、および空気吹出口１２を経て箱体の上面側から外部へ放出される。
【００３８】
ここで、上記室外ユニット１によれば、熱交換器７を側壁パネル８のすべてに沿って配置したため、従来と同等の箱体を用いた場合にも熱交換器７の面積を大きくすることが可能となる。しかも、空気吸込口８ａが設けられていない側壁パネル８とこれに沿って配置した熱交換器７との最小距離Ｌ２として、空気吸込口８ａが設けられている側壁パネル８の相互間距離Ｌｄに対して５％以上に定めているため、箱体の相対向する位置に配置した２つの側壁パネル８にのみ空気吸込口８ａを設けただけでも、すべての熱交換器７に十分な空気１５が行き渡るようになる。つまり、空気吸込口８ａが設けられている側壁パネル８に沿った熱交換器７へは、直接空気吸込口８ａを通じて吸い込んだ空気１５が十分に行き渡るようになり、一方、空気吸込口８ａが設けられていない側壁パネル８に沿った熱交換器７へも、空気吸込口８ａから吸い込んだ空気１５が、最小距離Ｌ２を確保した側壁パネル８との間隔を通じて十分に行き渡るようになる。したがって、ユニット外形寸法に関しては、従来の室外ユニットと同等でありながら、エネルギー効率を著しく増大させることが可能となる。
【００３９】
図３および図４は、図１および図２に示した空気調和機の室外ユニット１を横方向に連続して設置したときの状態を示すもので、図３は外観を示す斜視図、図４は熱交換器７を含む面で切断した断面平面図である。
【００４０】
上述したように、上記室外ユニット１は、箱体の相対向する位置に配置した２つの側壁パネル８にのみ空気吸込口８ａを設けただけでも、すべての熱交換器７に十分な空気１５が行き渡るものである。従って、図３および図４に示すように、空気吸込口８ａが設けられた側壁パネル８が開放側で、空気吸込口８ａが設けられていない側壁パネル８が隣接側となるように上記室外ユニット１を横方向に連続して設置した場合には、室外ユニット１の相互間に隙間が無くても、各室外ユニット１のすべての熱交換器７に対して十分な空気１５を通過させることが可能となる。この結果、単独設置時と同等にエネルギー効率を増大させることができるとともに、騒音値が増大する事態を防止できる。
【００４１】
図５は、同一の風量時において、室外ユニットのＬ２／Ｌｄに対する圧力損失ΔＰの変化の割合を示したグラフである。このグラフからも明らかなように、Ｌ２／Ｌｄが５％以上となれば、圧力損失ΔＰが、Ｌ２／Ｌｄが無限大をとるときのユニット圧力損失ΔＰ∞とほぼ等しい値となる。つまり、Ｌ２／Ｌｄを５％以上確保した室外ユニット１によれば、空気吸込口８ａが設けられていない側壁パネル８とこれに沿った熱交換器７との間の形状に基づく圧力損失分が無視できるようになる。これにより、上述したように、すべての熱交換器７に対して十分に空気１５を行き渡らせることが可能となるとともに、熱交換器７を通過する空気１５の速度分布が一様となり、たとえ横方向に連続して設置した場合であっても、エネルギー効率を増大させ、かつ騒音値が増大する事態を防止できるようになるのである。
【００４２】
上述の実施の形態１では、相対向する位置に配置した２つの側壁パネル８にのみ吸込口８ａを設けた室外ユニット１を示したが、これらを含めた３つ以上の側壁パネルに吸込口を設けても良い。３つ以上の側壁パネルに吸込口を設けた室外ユニットにあっても、これらを横方向に連続して設置すれば、開放側となる側壁パネルが２つとなるが、隣接側となる側壁パネルとこれに沿った熱交換器との最小距離Ｌ２として、開放側の側壁パネル相互間距離Ｌｄに対して５％以上に定めているため、すべての熱交換器７に十分な空気１５が行き渡り、エネルギー効率を単独設置時と同等に増大させることが可能となる。
【００４３】
また、上述の実施の形態１では、送風機９を１つ設けた室外ユニットを示したが、送風機の数は複数であっても良い。この場合、送風機が１つの場合に比べて熱交換器７を通過する空気量を増大させることができるため、エネルギー効率をさらに向上させることが可能となる。
【００４４】
実施の形態２．
図６および図７は、この発明の実施の形態２である空気調和機の室外ユニットを示すもので、図６は室外ユニットの構造を示す斜視一部破断図、図７は熱交換器を含む面で切断した室外ユニットの断面平面図である。
【００４５】
図６、図７において、１は空気調和機の室外ユニットで、箱体の内部に機械室部分２と熱交換部分３とを備えて構成してある。機械室部分２および熱交換部分３は、上下に分離した構造となっている。４は圧縮機、５はアキュムレータで、下方の機械室部分２においてそれぞれ台６上に固定されている。７は、上方の熱交換部分３において箱体の各側壁パネル８に沿うように四角の筒状に配置し、かつ、圧縮機４、アキュムレータ５と接続されて冷凍サイクルを形成する熱交換器である。９は箱体の上面に設置した送風機である。箱体の側壁パネル８には、それぞれに空気吸込口８ａを設けてある。
【００４６】
上記室外ユニット１において圧縮機４および送風機９を運転すると、各側壁パネル８の空気吸込口８ａを通じて箱体の内部に吸い込んだ空気１５が熱交換器７を通過し、ここで冷媒と熱交換した後、ベルマウス１０、ファンガード１１、および空気吹出口１２を経て箱体の上面側から外部へ放出される。
【００４７】
ここで、上記室外ユニット１によれば、熱交換器７を側壁パネル８のすべてに沿って配置したため、従来と同等の箱体を用いた場合にも熱交換器７の面積を大きくすることが可能となる。しかも、側壁パネル８のすべてに空気吸込口８ａを設けているため、これら空気吸込口８ａを通じてすべての熱交換器７に十分な空気１５が行き渡るようになる。従って、ユニット外形寸法に関しては、従来の室外ユニットと同等でありながら、エネルギー効率を著しく増大させることが可能となる。
【００４８】
図８および図９は、図６および図７に示した空気調和機の室外ユニット１を横方向に連続して設置したときの状態を示すもので、図８は外観を示す斜視図、図９は熱交換器７を含む面で切断した断面平面図である。
【００４９】
これらの図からも明らかなように、上記室外ユニット１を横方向に連続して設置する場合には、室外ユニット１の相互間にスペーサ１４を介在させるようにしている。スペーサ１４は、隣接側の側壁パネル８に沿って配置した熱交換器７の相互間に距離Ｌａを確保するためのもので、開放側となる側壁に空気吸込口１４ａを設けてある。このスペーサ１４が確保する距離Ｌａは、開放側となる側壁パネル８の相互間距離Ｌｄに対して１０％以上に定めている。
【００５０】
上記のように隣接側となる側壁パネル８の相互間にスペーサ１４を介在させた状態で横方向に連続して設置した室外ユニット１によれば、相対向する位置に配置した２つの側壁パネル８のみが開放側となるものの、すべての熱交換器７に十分な空気１５が行き渡るようになる。つまり、開放側となる側壁パネル８に沿った熱交換器７へは、直接それらの空気吸込口８ａを通じて吸い込んだ空気１５が十分に行き渡るようになり、一方、隣接側となる側壁パネル８に沿った熱交換器７へも、スペーサ１４の空気吸込口１４ａを通じてその内部に吸い込んだ空気１５が、距離Ｌａを確保した熱交換器７の相互間を経た後、当該隣接側となる側壁パネル８の空気吸込口８ａを通じて十分に行き渡るようになる。従って、横方向に連続して設置した各室外ユニット１のすべての熱交換器７に対して十分な空気１５を通過させることが可能となり、単独設置時と同等にエネルギー効率を増大させることができるとともに、騒音値が増大する事態を防止できる。
【００５１】
上述の実施の形態２では、送風機９を１つ設けた室外ユニットを示したが、送風機の数は複数であっても良い。この場合、送風機が１つの場合に比べて熱交換器７を通過する空気量を増大させることができるため、エネルギー効率をさらに向上させることが可能となる。
【００５２】
実施の形態３．
図１０、図１１および図１２は、この本発明の実施の形態３である空気調和機の室外ユニットを示すもので、図１０は室外ユニットの構造を示す斜視一部破断図、図１１は上部熱交換器を含む面で切断した室外ユニットの断面平面図、図１２は下部熱交換器を含む面で切断した室外ユニットの断面平面図である。
【００５３】
図１０、図１１および図１２において、１は空気調和機の室外ユニットで、機械室部分と熱交換部分とが箱体の同一の室内に上下に配置してある。４は圧縮機、５はアキュムレータで、箱体の下部においてそれぞれ台６上に固定されている。７は、箱体の内部に配置され、かつ、圧縮機４、アキュムレータ５と接続されて冷凍サイクルを形成する熱交換器である。９は箱体の上面に設置した送風機である。箱体の側壁パネル８には、相対向する位置に配置した２つにのみ空気吸込口８ａを設けてある。このうち、一方の側壁パネル８には、機械室部分と熱交換部分とに亘る部位に空気吸込口８ａを設けてある。他方の側壁パネル８には、上部の熱交換部分に対応した部分にのみ空気吸込口８ａを設け、その下部にメンテナンス用扉１３を設けてある。
【００５４】
箱体に配置した熱交換器７は、上部熱交換器７ａと下部熱交換器７ｂとに分割してある。上部熱交換器７ａは、箱体の上部において各側壁パネル８に沿うように四角の筒状に配置してある。これに対して下部熱交換器７ｂは、空気吸込口８ａが設けられていない２つの側壁パネル８と、機械室部分にまで空気吸込口８ａを設けた側壁パネル８とに沿い、かつメンテナンス用扉１３を設けた側壁パネル８の下部内表面を開放するように配置してある。
【００５５】
空気吸込口８ａが設けられていない側壁パネル８とこれに沿って配置した熱交換器７との最小距離Ｌ２は、空気吸込口８ａが設けられている側壁パネル８とこれに沿って配置した熱交換器７との最小距離Ｌ１よりも長くなっている。この距離Ｌ２は、空気吸込口８ａが設けられている側壁パネル８の相互間距離Ｌｄに対して５％以上に定めている。
【００５６】
上記室外ユニット１において圧縮機４および送風機９を運転すると、相対向する位置に配置した側壁パネル８の空気吸込口８ａを通じて箱体の内部に吸い込んだ空気１５が熱交換器７を通過し、ここで冷媒と熱交換した後、ベルマウス１０、ファンガード１１、および空気吹出口１２を経て箱体の上面側から外部へ放出される。
【００５７】
ここで、上記室外ユニット１によれば、機械室部部と熱交換部分とを同一の室内に配置し、かつ上部熱交換器７ａを側壁パネル８のすべてに沿って配置し、さらに下部熱交換器７ｂを３つの側壁パネル８に沿って配置したため、従来と同等の箱体を用いた場合にも熱交換器７の面積を大きくすることが可能となる。しかも、空気吸込口８ａが設けられていない側壁パネル８とこれに沿って配置した熱交換器７との最小距離Ｌ２として、空気吸込口８ａが設けられている側壁パネル８の相互間距離Ｌｄに対して５％以上に定めているため、箱体の相対向する位置に配置した２つの側壁パネル８にのみ空気吸込口８ａを設けただけでも、すべての熱交換器７に十分な空気１５が行き渡るようになる。つまり、空気吸込口８ａが設けられている側壁パネル８に沿った熱交換器７へは、直接空気吸込口８ａを通じて吸い込んだ空気１５が十分に行き渡るようになり、一方、空気吸込口８ａが設けられていない側壁パネル８に沿った熱交換器７へも、空気吸込口８ａから吸い込んだ空気１５が、最小距離Ｌ２を確保した側壁パネル８との間隔を通じて十分に行き渡るようになる。したがって、ユニット外形寸法に関しては、従来の室外ユニットと同等でありながら、エネルギー効率を著しく増大させることが可能となる。
【００５８】
さらに、側壁パネル８に設けたメンテナンス用扉１３からは、機械室部分に配置した圧縮機４等のメンテナンスを行うことが可能であり、保守点検等の作業を容易に行うことができる。
【００５９】
また、上述したように、上記室外ユニット１は、箱体の相対向する位置に配置した２つの側壁パネル８にのみ空気吸込口８ａを設けただけでも、すべての熱交換器７に十分な空気１５が行き渡るものである。従って、空気吸込口８ａが設けられた側壁パネル８が開放側で、空気吸込口８ａが設けられていない側壁パネル８が隣接側となるように上記室外ユニット１を横方向に連続して設置した場合には、室外ユニット１の相互間に隙間が無くても、各室外ユニット１のすべての熱交換器７に対して十分な空気１５を通過させることが可能となる。この結果、単独設置時と同等にエネルギー効率を増大させることができるとともに、騒音値が増大する事態を防止できる。この場合、メンテナンス用扉１３が開放側となるため、メンテナンス性が損なわれることもない。
【００６０】
上述の実施の形態３では、相対向する位置に配置した２つの側壁パネル８にのみ空気吸込口８ａを設けた室外ユニット１を示したが、これらを含めた３つ以上の側壁パネルに吸込口を設けても良い。３つ以上の側壁パネルに吸込口を設けた室外ユニットにあっても、これらを横方向に連続して設置すれば、開放側となる側壁パネルが２つとなるが、隣接側となる側壁パネルとこれに沿った熱交換器との最小距離Ｌ２として、開放側の側壁パネル相互間距離Ｌｄに対して５％以上に定めているため、すべての熱交換器７に十分な空気１５が行き渡り、エネルギー効率を単独設置時と同等に増大させることが可能となる。
【００６１】
また、上述の実施の形態３では、空気吸込口８ａが設けられていない側壁パネル８とこれに沿って配置した熱交換器７との最小距離Ｌ２を、空気吸込口８ａが設けられている側壁パネル８の相互間距離Ｌｄに対して５％以上に定めることによって、たとえ横方向に連続して設置した場合にもすべての熱交換器７に十分な空気１５を行き渡らせるようにしているが、側壁パネル８のすべてに空気吸込口８ａを設ければ、上述した最小距離Ｌ２を確保する代わりに、室外ユニット１の相互間にスペーサを介在させるようにしても同様の作用効果を得ることができる。室外ユニット１の相互間に介在させるスペーサは、隣接側の側壁パネル８に沿って配置した熱交換器７の相互間に、開放側となる側壁パネル８の相互間距離Ｌｄに対して１０％以上となる距離Ｌａを確保するためのもので、開放側となる側壁に空気吸込口を設ける。
【００６２】
上記のように隣接側となる側壁パネル８の相互間にスペーサを介在させた状態で横方向に連続して設置した室外ユニット１によれば、相対向する位置に配置した２つの側壁パネル８のみが開放側となるものの、すべての熱交換器７に十分な空気１５が行き渡るようになる。つまり、開放側となる側壁パネル８に沿った熱交換器７へは、直接それらの空気吸込口８ａを通じて吸い込んだ空気１５が十分に行き渡るようになり、一方、隣接側となる側壁パネル８に沿った熱交換器７へも、スペーサの空気吸込口を通じてその内部に吸い込んだ空気１５が、距離Ｌａを確保した熱交換器７の相互間を経た後、当該隣接側となる側壁パネル８の空気吸込口８ａを通じて十分に行き渡るようになる。従って、横方向に連続して設置した各室外ユニット１のすべての熱交換器７に対して十分な空気１５を通過させることが可能となり、単独設置時と同等にエネルギー効率を増大させることができるとともに、騒音値が増大する事態を防止できる。
【００６３】
また、上述の実施の形態３では、送風機９を１つ設けた室外ユニットを示したが、送風機の数は複数であっても良い。この場合、送風機が１つの場合に比べて熱交換器７を通過する空気量を増大させることができるため、エネルギー効率をさらに向上させることが可能となる。
【００６４】
実施の形態４．
図１３および図１４は、本発明の実施の形態４である空気調和機の室外ユニットを示すもので、図１３は室外ユニットの構造を示す斜視一部破断図、図１４は熱交換器を含む面で切断した室外ユニットの断面平面図である。
【００６５】
図１３、図１４において、１は空気調和機の室外ユニットで、箱体の内部に機械室部分２と熱交換部分３とを備えて構成してある。機械室部分２および熱交換部分３は、上下に分離した構造となっている。４は圧縮機、５はアキュムレータで、下方の機械室部分２においてそれぞれ台６上に固定されている。７は、上方の熱交換部分３において箱体の内部に配置され、かつ、圧縮機４、アキュムレータ５と接続されて冷凍サイクルを形成する熱交換器である。９は箱体の上面に設置した送風機である。箱体の側壁パネル８には、相対向する位置に配置した２つにのみ空気吸込口８ａを設けてある。
【００６６】
箱体に配置した熱交換器７は、空気吸込口８ａを設けた側壁パネル８に沿う部分を有するように、上面視が六角の筒状に配置してある。
【００６７】
上記室外ユニット１において圧縮機４および送風機９を運転すると、相対向する位置に配置した側壁パネル８の空気吸込口８ａを通じて箱体の内部に吸い込んだ空気１５が熱交換器７を通過し、ここで冷媒と熱交換した後、ベルマウス１０、ファンガード１１、および空気吹出口１２を経て箱体の上面側から外部へ放出される。
【００６８】
ここで、上記室外ユニット１によれば、熱交換器７を側壁パネル８の内部に六角筒状に配置したため、従来と同等の箱体を用いた場合にも熱交換器７の面積を大きくすることが可能となる。しかも、空気吸込口８ａが設けられていない側壁パネル８に対しては、該側壁パネル８と熱交換器７との間隔が空気吸込口８ａを設けた側壁パネル８に向けて漸次大きくなるように配置されるため、箱体の相対向する位置に配置した２つの側壁パネル８にのみ空気吸込口８ａを設けただけでも、すべての熱交換器７に十分な空気１５が行き渡るようになる。つまり、空気吸込口８ａが設けられている側壁パネル８に沿った熱交換器７へは、直接空気吸込口８ａを通じて吸い込んだ空気１５が十分に行き渡るようになり、一方、空気吸込口８ａが設けられていない側壁パネル８に対して傾斜した熱交換器７へも、空気吸込口８ａから吸い込んだ空気１５が十分に行き渡るようになる。したがって、ユニット外形寸法に関しては、従来の室外ユニットと同等でありながら、エネルギー効率を著しく増大させることが可能となる。
【００６９】
さらに、送風機９の回転軸心と各熱交換器７との距離の変動が小さくなるため、熱交換器７の幅方向の風速分布が均一に近づき、熱交換能力をさらに増大させることが可能となる。したがって、エネルギー効率を一層増大させることが可能となる。
【００７０】
図１５は、図１３および図１４に示した空気調和機の室外ユニット１を横方向に連続して設置したときの状態を示すもので、熱交換器を含む面で切断した断面平面図である。
【００７１】
上述したように、上記室外ユニット１は、箱体の相対向する位置に配置した２つの側壁パネル８にのみ空気吸込口８ａを設けただけでも、すべての熱交換器７に十分な空気１５が行き渡るものである。従って、図１５に示すように、空気吸込口８ａが設けられた側壁パネル８が開放側で、空気吸込口８ａが設けられていない側壁パネル８が隣接側となるように上記室外ユニット１を横方向に連続して設置した場合には、室外ユニット１の相互間に隙間が無くても、各室外ユニット１のすべての熱交換器７に対して十分な空気１５を通過させることが可能となる。この結果、単独設置時と同等にエネルギー効率を増大させることができるとともに、騒音値が増大する事態を防止できる。
【００７２】
上述の実施の形態４では、相対向する位置に配置した２つの側壁パネル８にのみ吸込口８ａを設けた室外ユニット１を示したが、これらを含めた３つ以上の側壁パネルに吸込口を設けても良い。図１６は、実施の形態４における空気調和機の室外ユニット１ですべての側壁パネル８に空気吸込口８ａを設け、これらを横方向に連続して設置したときの状態を示す断面平面図である。すべての側壁パネル８に空気吸込口８ａを設けた室外ユニット１にあっても、これらを横方向に連続して設置すれば、開放側となる側壁パネルが２つとなるが、隣接側となる側壁パネル８に対して熱交換器７が傾斜して配置されるため、すべての熱交換器７に十分な空気１５が行き渡り、エネルギー効率を単独設置時と同等に増大させることが可能となる。
【００７３】
また、上述の実施の形態４では、送風機９を１つ設けた室外ユニットを示したが、送風機の数は複数であっても良い。この場合、送風機が１つの場合に比べて熱交換器７を通過する空気量を増大させることができるため、エネルギー効率をさらに向上させることが可能となる。
【００７４】
実施の形態５．
図１７、図１８および図１９は、本発明の実施の形態５である空気調和機の室外ユニットを示すもので、図１７は室外ユニットの構造を示す斜視一部破断図、図１８は上部熱交換器を含む面で切断した室外ユニットの断面平面図、図１９は下部熱交換器を含む面で切断した室外ユニットの断面平面図である。
【００７５】
図１７、図１８および図１９において、１は空気調和機の室外ユニットで、機械室部分と熱交換部分とが箱体の同一の室内に上下に配置してある。４は圧縮機、５はアキュムレータで、箱体の下部においてそれぞれ台６上に固定されている。７は、箱体の内部に配置され、かつ、圧縮機４、アキュムレータ５と接続されて冷凍サイクルを形成する熱交換器である。９は箱体の上面に設置した送風機である。箱体の側壁パネル８には、相対向する位置に配置した２つにのみ空気吸込口８ａを設けてある。このうち、一方の側壁パネル８には、機械室部分と熱交換部分とに亘る部位のほぼ全面に空気吸込口８ａを設けてある。他方の側壁パネル８には、上部の熱交換部分に対応した部分の全面に空気吸込口８ａを設けてあるが、その下部の中央部にメンテナンス用扉１３を設けてあり、このメンテナンス用扉１３の両側となる部位にのみ空気吸込口８ａを設けてある。
【００７６】
箱体に配置した熱交換器７は、上部熱交換器７ａと下部熱交換器７ｂとに分割してある。上部熱交換器７ａは、箱体の上部において空気吸込口８ａを設けた側壁パネル８に沿う部分を有するように、上面視が六角の筒状に配置してある。これに対して下部熱交換器７ｂは、上部熱交換器７ａと同様にほぼ六角の筒状を成し、かつメンテナンス用扉１３を設けた側壁パネル８の下部内表面を開放するように配置してある。
【００７７】
上記室外ユニット１において圧縮機４および送風機９を運転すると、相対向する位置に配置した側壁パネル８の空気吸込口８ａを通じて箱体の内部に吸い込んだ空気１５が熱交換器７を通過し、ここで冷媒と熱交換した後、ベルマウス１０、ファンガード１１、および空気吹出口１２を経て箱体の上面側から外部へ放出される。
【００７８】
ここで、上記室外ユニット１によれば、機械室部分と熱交換部分とを同一の室内に配置し、かつ上部熱交換器７ａを側壁パネル８のすべてに対向するように六角筒状に配置し、さらに下部熱交換器７ｂを３つの側壁パネル８に対向するようにほぼ六角筒状に配置しているため、従来と同等の箱体を用いた場合にも熱交換器７の面積を大きくすることが可能となる。しかも、空気吸込口８ａが設けられていない側壁パネル８に対しては、該側壁パネル８と熱交換器７との間隔が空気吸込口８ａを設けた側壁パネル８に向けて漸次大きくなるように配置されるため、箱体の相対向する位置に配置した２つの側壁パネル８にのみ空気吸込口８ａを設けただけでも、すべての熱交換器７に十分な空気１５が行き渡るようになる。つまり、空気吸込口８ａが設けられている側壁パネル８に沿った熱交換器７へは、直接空気吸込口８ａを通じて吸い込んだ空気１５が十分に行き渡るようになり、一方、空気吸込口８ａが設けられていない側壁パネル８に対して傾斜した熱交換器７へも、空気吸込口８ａから吸い込んだ空気１５が十分に行き渡るようになる。したがって、ユニット外形寸法に関しては、従来の室外ユニットと同等でありながら、エネルギー効率を著しく増大させることが可能となる。
【００７９】
さらに、送風機９の回転軸心と各熱交換器７との距離の変動が小さくなるため、熱交換器７の幅方向の風速分布が均一に近づき、熱交換能力をさらに増大させることが可能となる。したがって、エネルギー効率を一層増大させることが可能となる。
【００８０】
さらに、側壁パネル８に設けたメンテナンス用扉１３からは、機械室部分に配置した圧縮機４等のメンテナンスを行うことが可能であり、保守点検等の作業を容易に行うことができる。
【００８１】
また、上述したように、上記室外ユニット１は、箱体の相対向する位置に配置した２つの側壁パネル８にのみ空気吸込口８ａを設けただけでも、すべての熱交換器７に十分な空気１５が行き渡るものである。従って、空気吸込口８ａが設けられた側壁パネル８が開放側で、空気吸込口８ａが設けられていない側壁パネル８が隣接側となるように上記室外ユニット１を横方向に連続して設置した場合には、室外ユニット１の相互間に隙間が無くても、各室外ユニット１のすべての熱交換器７に対して十分な空気１５を通過させることが可能となる。この結果、単独設置時と同等にエネルギー効率を増大させることができるとともに、騒音値が増大する事態を防止できる。この場合、メンテナンス用扉１３が開放側となるため、メンテナンス性が損なわれることもない。
【００８２】
上述の実施の形態５では、相対向する位置に配置した２つの側壁パネル８にのみ吸込口８ａを設けた室外ユニット１を示したが、これらを含めた３つ以上の側壁パネルに吸込口を設けても良い。３つ以上の側壁パネルに吸込口を設けた室外ユニットにあっても、これらを横方向に連続して設置すれば、開放側となる側壁パネルが２つとなるが、隣接側となる側壁パネル８に対して熱交換器７が傾斜して配置されるため、すべての熱交換器７に十分な空気１５が行き渡り、エネルギー効率を単独設置時と同等に増大させることが可能となる。
【００８３】
また、上述の実施の形態５では、送風機９を１つ設けた室外ユニットを示したが、送風機の数は複数であっても良い。この場合、送風機が１つの場合に比べて熱交換器７を通過する空気量を増大させることができるため、エネルギー効率をさらに向上させることが可能となる。
【００８４】
実施の形態６．
図２０および図２１は、本発明の実施の形態６である空気調和機の室外ユニットを示すもので、図２０は室外ユニットの構造を示す斜視一部破断図、図２１は熱交換器を含む面で切断した室外ユニットの断面平面図である。
【００８５】
図２０、図２１において、１は空気調和機の室外ユニットで、機械室部分と熱交換部分とが箱体の同一の室内に上下に配置してある。４は圧縮機、５はアキュムレータで、箱体の下部においてそれぞれ台６上に固定されている。７は、箱体の内部に配置され、かつ、圧縮機４、アキュムレータ５と接続されて冷凍サイクルを形成する熱交換器である。９は箱体の上面に設置した送風機である。箱体の側壁パネル８には、１つにのみ空気吸込口８ａが設けてある。また空気吸込口８ａを設けた側壁パネル８に対して相対向する位置に配置した側壁パネル８には、その下部にメンテナンス用扉１３を設けてある。
【００８６】
箱体に配置した熱交換器７は、箱体の機械室部分から熱交換部分に亘る部位においてメンテナンス用扉１３を設けた側壁パネル８の内表面を開放し、かつこれ以外の３つの側壁パネル８に沿うようにコの字状に配置してある。
【００８７】
空気吸込口８ａが設けられていない側壁パネル８とこれに沿って配置した熱交換器７との最小距離Ｌ２は、空気吸込口８ａが設けられている側壁パネル８とこれに沿って配置した熱交換器７との最小距離Ｌ１よりも長くなっている。この距離Ｌ２は、空気吸込口８ａが設けられている開放側の側壁パネル８から熱交換器７の端部までの距離Ｌ３に対して１０％以上、換言すれば空気吸込口８ａが設けられていない側壁パネル８に沿った熱交換器７の水平方向長さに対して１０％以上と定めている。
【００８８】
上記室外ユニット１において圧縮機４および送風機９を運転すると、相対向する位置に配置した側壁パネル８の空気吸込口８ａを通じて箱体の内部に吸い込んだ空気１５が熱交換器７を通過し、ここで冷媒と熱交換した後、ベルマウス１０、ファンガード１１、および空気吹出口１２を経て箱体の上面側から外部へ放出される。
【００８９】
ここで、上記室外ユニット１によれば、機械室部分と熱交換部分とを同一の室内に配置し、かつこれら機械室部分から熱交換部分に亘る部位において３つの側壁パネル８に沿うように配置しているため、従来と同等の箱体を用いた場合にも熱交換器７の面積を大きくすることが可能となる。しかも、空気吸込口８ａが設けられていない側壁パネル８とこれに沿って配置した熱交換器７との最小距離Ｌ２として、空気吸込口８ａが設けられていない側壁パネル８に沿った熱交換器７の水平方向長さに対して１０％以上と定めているため、箱体の１つの側壁パネル８にのみ空気吸込口８ａを設けただけでも、すべての熱交換器７に十分な空気１５が行き渡るようになる。つまり、空気吸込口８ａが設けられている側壁パネル８に沿った熱交換器７へは、直接空気吸込口８ａを通じて吸い込んだ空気１５が十分に行き渡るようになり、一方、空気吸込口８ａが設けられていない側壁パネル８に沿った熱交換器７へも、空気吸込口８ａから吸い込んだ空気１５が、最小距離Ｌ２を確保した側壁パネル８との間隔を通じて十分に行き渡るようになる。したがって、ユニット外形寸法に関しては、従来の室外ユニットと同等でありながら、エネルギー効率を著しく増大させることが可能となる。
【００９０】
さらに、側壁パネル８に設けたメンテナンス用扉１３からは、機械室部分に配置した圧縮機４等のメンテナンスを行うことが可能であり、保守点検等の作業を容易に行うことができる。
【００９１】
図２２は、図２０および図２１に示した空気調和機の室外ユニットを横方向に連続して設置したときの状態を示すもので、熱交換器を含む面で切断した室外ユニットの断面平面図である。
【００９２】
上述したように、上記室外ユニット１は、箱体の１つの側壁パネル８にのみ空気吸込口８ａを設けただけでも、すべての熱交換器７に十分な空気１５が行き渡るものである。従って、図２２に示すように、空気吸込口８ａが設けられた側壁パネル８が開放側で、空気吸込口８ａが設けられていない側壁パネル８が隣接側となるように上記室外ユニット１を横方向に連続して設置した場合には、室外ユニット１の相互間に隙間が無くても、各室外ユニット１のすべての熱交換器７に対して十分な空気１５を通過させることが可能となる。この結果、単独設置時と同等にエネルギー効率を増大させることができるとともに、騒音値が増大する事態を防止できる。この場合、メンテナンス用扉１３が開放側となるため、メンテナンス性が損なわれることもない。
【００９３】
上述の実施の形態６では、１つの側壁パネル８にのみ吸込口８ａを設けた室外ユニット１を示したが、これを含めた２つ以上の側壁パネルに吸込口を設けても良い。２つ以上の側壁パネルに吸込口を設けた室外ユニットにあっても、すべての熱交換器７に十分な空気１５が行き渡り、エネルギー効率を単独設置時と同等に増大させることが可能となる。
【００９４】
また、上述の実施の形態６では、送風機９を１つ設けた室外ユニットを示したが、送風機の数は複数であっても良い。この場合、送風機が１つの場合に比べて熱交換器７を通過する空気量を増大させることができるため、エネルギー効率をさらに向上させることが可能となる。
【００９５】
実施の形態７．
図２３および図２４は、本発明の実施の形態７である空気調和機の室外ユニットを示すもので、図２３は室外ユニットの構造を示す斜視一部破断図、図２４は熱交換器を含む面で切断した室外ユニットの断面平面図である。
【００９６】
図２３、図２４において、１は空気調和機の室外ユニットで、機械室部分と熱交換部分とが箱体の同一の室内に配置してある。４は圧縮機、５はアキュムレータで、箱体の下部においてそれぞれ台６上に固定されている。７は、箱体の内部に配置され、かつ圧縮機４、アキュムレータ５と接続されて冷凍サイクルを形成する熱交換器である。９は箱体の上面に設置した送風機である。箱体の側壁パネル８には、そのうちの３つに空気吸込口８ａが設けてある。また空気吸込口８ａが設けられていない側壁パネル８には、その下部にメンテナンス用扉１３を設けてある。
【００９７】
箱体に配置した熱交換器７は、箱体の機械室部分から熱交換部分に亘る部位においてメンテナンス用扉１３を設けた側壁パネル８の内表面を開放し、かつこれ以外の３つの側壁パネル８に沿うようにコの字状に配置してある。
【００９８】
上記室外ユニット１において圧縮機４および送風機９を運転すると、３つの側壁パネル８の空気吸込口８ａを通じて箱体の内部に吸い込んだ空気１５が熱交換器７を通過し、ここで冷媒と熱交換した後、ベルマウス１０、ファンガード１１、および空気吹出口１２を経て箱体の上面側から外部へ放出される。
【００９９】
ここで、上記室外ユニット１によれば、機械室部分と熱交換部分とを同一の室内に配置し、かつこれら機械室部分から熱交換部分に亘る部位において３つの側壁パネル８に沿うように配置しているため、従来と同等の箱体を用いた場合にも熱交換器７の面積を大きくすることが可能となる。しかも、熱交換器７を配置したそれぞれの側壁パネル８に空気吸込口８ａを設けているため、すべての熱交換器７に十分な空気１５が行き渡るようになる。したがって、ユニット外形寸法に関しては、従来の室外ユニットと同等でありながら、エネルギー効率を著しく増大させることが可能となる。
【０１００】
さらに、側壁パネル８に設けたメンテナンス用扉１３からは、機械室部分に配置した圧縮機４等のメンテナンスを行うことが可能であり、保守点検等の作業を容易に行うことができる。
【０１０１】
図２５は、図２３および図２４に示した空気調和機の室外ユニットを横方向に連続して設置したときの状態を示すもので、熱交換器を含む面で切断した室外ユニットの断面平面図である。
【０１０２】
図２５からも明らかなように、上記室外ユニット１を横方向に連続して設置する場合には、メンテナンス用扉１３を設けた側壁パネル８とこの側壁パネル８に相対向する位置に配置された側壁パネル８とが開放側となり、かつ室外ユニット１の相互間にスペーサ１４を介在させるようにしている。スペーサ１４は、隣接側の側壁パネル８に沿って配置した熱交換器７の相互間に距離Ｌａを確保するためのもので、開放側となる側壁に空気吸込口１４ａを設けてある。このスペーサ１４が確保する距離Ｌａは、空気吸込口８ａが設けられている開放側の側壁パネル８から熱交換器７の端部までの距離Ｌ３に対して２０％以上、換言すれば空気吸込口８ａが設けられていない側壁パネル８に沿った熱交換器７の水平方向長さに対して２０％以上と定めている。
【０１０３】
上記のように隣接側となる側壁パネル８の相互間にスペーサ１４を介在させた状態で横方向に連続して設置した室外ユニット１によれば、空気吸込口８ａを設けた側壁パネル８の２つが隣接側となり、残りの１つのみが開放側となるものの、すべての熱交換器７に十分な空気１５が行き渡るようになる。つまり、開放側となる側壁パネル８に沿った熱交換器７へは、直接その空気吸込口８ａを通じて吸い込んだ空気１５が十分に行き渡るようになり、一方、隣接側となる側壁パネル８に沿った熱交換器７へも、スペーサ１４の空気吸込口１４ａを通じてその内部に吸い込んだ空気１５が、距離Ｌａを確保した熱交換器７の相互間を経た後、当該隣接側となる側壁パネル８の空気吸込口８ａを通じて十分に行き渡るようになる。従って、横方向に連続して設置した各室外ユニット１のすべての熱交換器７に対して十分な空気１５を通過させることが可能となり、単独設置時と同等にエネルギー効率を増大させることができるとともに、騒音値が増大する事態を防止できる。
【０１０４】
上述の実施の形態７でも、送風機９を１つ設けた室外ユニットを示したが、送風機の数は複数であっても良い。この場合、送風機が１つの場合に比べて熱交換器７を通過する空気量を増大させることができるため、エネルギー効率をさらに向上させることが可能となる。
【０１０７】
【発明の効果】
以上説明したように、この発明によれば、熱交換器を、四角筒状に形成して箱体の各側壁パネルに沿うように配置し、前記四角筒状の熱交換器の下に、開放側となる側壁パネルの一方に対向する部分のみを開放するように構成した下部熱交換器を設けているためその面積を増やし、さらにメンテナンス用扉を通じて圧縮機等のメンテナンスを行うことができるため、ユニット外形寸法を大きくすることなくエネルギー効率を向上させ、しかもメンテナンス性の高い空気調和機の室外ユニットを得ることができる、という効果を奏する。
【０１０８】
つぎの発明によれば、隣接側となる側壁パネルと当該側壁パネルに沿って配置した熱交換器との間に、開放側となる２つの側壁パネルの相互間距離に対して５％以上となる間隔を確保することで、たとえ連続して設置した場合であってもすべての熱交換器に十分な空気を通過させることができるため、横方向に連続して設置したときのエネルギー効率を単独設置時と同等に増大させることができる、という効果を奏する。
【０１０９】
つぎの発明によれば、隣接側となる側壁パネルに沿って配置した熱交換器の相互間に、開放側となる２つの側壁パネルの相互間距離に対して１０％以上となる間隔を確保することで、たとえ連続して設置した場合であってもすべての熱交換器に十分な空気を通過させることができるため、横方向に連続して設置したときのエネルギー効率を単独設置時と同等に増大させることができる、という効果を奏する。
【０１１０】
つぎの発明によれば、熱交換器を六角の筒状に構成することでその面積を増やすことができるとともに、たとえ連続して設置した場合であってもすべての熱交換器に十分な空気を通過させることができるため、ユニット外形寸法を大きくすることなくエネルギー効率を向上させ、しかも横方向に連続して設置したときのエネルギー効率を単独設置時と同等に増大させることができる、という効果を奏する。
【０１１１】
つぎの発明によれば、熱交換器を六角の筒状に構成することでその面積を増やすことができるとともに、たとえ連続して設置した場合であってもすべての熱交換器に十分な空気を通過させることができるため、ユニット外形寸法を大きくすることなくエネルギー効率を向上させ、横方向に連続して設置したときのエネルギー効率を単独設置時と同等に増大させることができる、という効果を奏する。しかも、側壁パネルにメンテナンス扉を設けているため、このメンテナンス用扉を通じて圧縮機等のメンテナンスを行うことができ、メンテナンス性の高い空気調和機の室外ユニットを得ることができる、という効果を奏する。
【０１１５】
つぎの発明によれば、熱交換器を通過する空気量を増大させることができるため、エネルギー効率をさらに向上させることが可能になる、という効果を奏する。
【図面の簡単な説明】
【図１】  この発明の実施の形態１である空気調和機の室外ユニットの構造を示す斜視一部破断図である。
【図２】  図１に示した空気調和機の室外ユニットを、熱交換器を含む水平面で切断した断面平面図である。
【図３】  図１に示した空気調和機の室外ユニットを横方向に連続して設置したときの外観を示す斜視図である。
【図４】  図１に示した空気調和機の室外ユニットを横方向に連続して設置したときの、熱交換器を含む水平面で切断した断面平面図である。
【図５】  同一の風量時において、室外ユニットのＬ２／Ｌｄに対する圧力損失ΔＰの変化の割合を示したグラフである。
【図６】  この発明の実施の形態２である空気調和機の室外ユニットの構造を示す斜視一部破断図である。
【図７】  図６に示した空気調和機の室外ユニットを、熱交換器を含む水平面で切断した断面平面図である。
【図８】  図６に示した空気調和機の室外ユニットを横方向に連続して設置したときの外観を示す斜視図である。
【図９】  図６に示した空気調和機の室外ユニットの横方向に連続して設置したときの、熱交換器を含む水平面で切断した断面平面図である。
【図１０】  この発明の実施の形態３である空気調和機の室外ユニットの構造を示す斜視一部破断図である。
【図１１】  図１０に示した空気調和機の室外ユニットを、上部熱交換器を含む水平面で切断した断面平面図である。
【図１２】  図１０に示した空気調和機の室外ユニットを、下部熱交換器を含む水平面で切断した断面平面図である。
【図１３】  この発明の実施の形態４である空気調和機の室外ユニットの構造を示す斜視一部破断図である。
【図１４】  図１３に示した空気調和機の室外ユニットを、熱交換器を含む水平面で切断した断面平面図である。
【図１５】  図１３に示した空気調和機の室外ユニットを横方向に連続して設置したときの、熱交換器を含む水平面で切断した断面平面図である。
【図１６】  図１３に示した空気調和機の室外ユニットの変形例を示すもので、横方向に連続して設置したときの、熱交換器を含む水平面で切断した断面平面図である。
【図１７】  この発明の実施の形態５である空気調和機の室外ユニットの構造を示す斜視一部破断図である。
【図１８】  図１７に示した空気調和機の室外ユニットを、上部熱交換器を含む水平面で切断した断面平面図である。
【図１９】  図１７に示した空気調和機の室外ユニットを、下部熱交換器を含む水平面で切断した断面平面図である。
【図２０】  この発明の実施の形態６である空気調和機の室外ユニットの構造を示す斜視一部破断図である。
【図２１】  図２０に示した空気調和機の室外ユニットを、熱交換器を含む水平面で切断した断面平面図である。
【図２２】  図２０に示した空気調和機の室外ユニットを横方向に連続して設置したときの、熱交換器を含む水平面で切断した断面平面図である。
【図２３】  この発明の実施の形態７である空気調和機の室外ユニットの構造を示す斜視一部破断図である。
【図２４】  図２３に示した空気調和機の室外ユニットを、熱交換器を含む水平面で切断した断面平面図である。
【図２５】  図２３に示した空気調和機の室外ユニットを横方向に連続して設置したときの、熱交換器を含む水平面で切断した断面平面図である。
【図２６】  従来の空気調和機の室外ユニットの構造を示した分解斜視図である。
【図２７】  他の従来の空気調和機の室外ユニットの構造を示した斜視一部破断図である。
【図２８】  図２７に示した空気調和機の室外ユニットを、熱交換器を含む水平面で切断した断面平面図である。
【図２９】  図２７に示した空気調和機の室外ユニットを横方向に連続して設置したときの外観を示す斜視図である。
【図３０】  図２７に示した空気調和機の室外ユニットを横方向に連続して設置したときの、熱交換器を含む水平面で切断した断面平面図である。
【符号の説明】
１  空気調和機の室外ユニット、２  機械室部分、３  熱交換部分、４  圧縮機、５  アキュムレータ、６  台、７  熱交換器、７ａ  上部熱交換器、７ｂ  下部熱交換器、８  側壁パネル、８ａ  空気吸込口、９  送風機、１０  ベルマウス、１１  ファンガード、１２  空気吹出口、１３  メンテナンス用扉、１４スペーサ、１４ａ  空気吸込口、１５  熱交換器を通過する空気。
【図１】
0003847567.tif 000002
【図２】
0003847567.tif 000003
【図３】
0003847567.tif 000004
【図４】
0003847567.tif 000005
【図５】
0003847567.tif 000006
【図６】
0003847567.tif 000007
【図７】
0003847567.tif 000008
【図８】
0003847567.tif 000009
【図９】
0003847567.tif 000010
【図１０】
0003847567.tif 000011
【図１１】
0003847567.tif 000012
【図１２】
0003847567.tif 000013
【図１３】
0003847567.tif 000014
【図１４】
0003847567.tif 000015
【図１５】
0003847567.tif 000016
【図１６】
0003847567.tif 000017
【図１７】
0003847567.tif 000018
【図１８】
0003847567.tif 000019
【図１９】
0003847567.tif 000020
【図２０】
0003847567.tif 000021
【図２１】
0003847567.tif 000022
【図２２】
0003847567.tif 000023
【図２３】
0003847567.tif 000024
【図２４】
0003847567.tif 000025
【図２５】
0003847567.tif 000026
【図２６】
0003847567.tif 000027
【図２７】
0003847567.tif 000028
【図２８】
0003847567.tif 000029
【図２９】
0003847567.tif 000030
【図３０】
0003847567.tif 000031